(57)【要約】【課題】横枠の室外側の部材にガスケットを当接するカーテンウォールにおいて、枠体の縦枠端部材の構造が複雑になるのを抑制する。【解決手段】枠体３は、ガスケットが装着される装着部８を有している。上枠５は、建物の部材と対向する対向部４５と、対向部４５に形成された装着部８を有している。縦枠７は、縦枠本体６０と、縦枠本体６０の端部６７から上枠５の対向部４５の端部４７まで配置された縦枠端部材８０を有している。縦枠端部材８０は、縦枠本体６０の装着部８の端部から上枠５の装着部８の端部まで延びる装着部８を有している。縦枠本体６０と縦枠端部材８０は、縦枠７の見込み方向に対して４５度の角度をなす端部６７、８４同士を当接させ、かつ、当接する端部６７、８４において互いの装着部８の端部の位置を合わせて配置されている。【選択図】  図５
2019143308.tif 000002
【特許請求の範囲】
【請求項１】
枠体と、前記枠体に装着されるガスケットと、を備えたカーテンウォールであって、
前記枠体は、左右の縦枠と、前記左右の縦枠の間に設けられた横枠と、前記縦枠と前記横枠とに形成されて前記ガスケットが装着される装着部と、を有し、
前記横枠は、室外側に位置する建物の部材と対向する対向部と、前記横枠の長手方向に沿って前記対向部に形成された前記装着部と、を有し、
前記縦枠は、縦枠本体と、前記縦枠本体の端部から前記横枠の対向部の端部まで配置された縦枠端部材と、を有し、
前記縦枠本体は、前記縦枠の長手方向に沿って形成された前記装着部を有し、
前記縦枠端部材は、前記縦枠本体の装着部の端部から前記横枠の装着部の端部まで延びる前記装着部を有し、
前記縦枠本体と前記縦枠端部材は、前記縦枠の見込み方向に対して４５度の角度をなす端部同士を当接させ、かつ、前記当接する端部において互いの前記装着部の端部の位置を合わせて配置されたカーテンウォール。
【請求項２】
請求項１に記載されたカーテンウォールにおいて、
前記縦枠本体と前記縦枠端部材は、前記装着部を含む共通の断面形状を有するカーテンウォール。
【請求項３】
請求項１又は２に記載されたカーテンウォールにおいて、
前記装着部は、装着溝であり、
前記ガスケットは、前記装着溝に取り付けられる取付部を有するカーテンウォール。
【請求項４】
請求項１ないし３のいずれかに記載されたカーテンウォールにおいて、
前記横枠、前記縦枠本体、及び、前記縦枠端部材のそれぞれは、並列する複数の前記装着部を有するカーテンウォール。
【請求項５】
請求項１ないし４のいずれかに記載されたカーテンウォールにおいて、
前記縦枠端部材は、前記縦枠本体の端部から室外側に突出し、
前記横枠の対向部は、前記左右の縦枠に設けられた前記縦枠端部材の先端部の間に配置され、
前記縦枠端部材の装着部は、前記縦枠本体の装着部の端部から室外側に向かって前記横枠の装着部の端部まで延びるカーテンウォール。
【発明の詳細な説明】
【技術分野】
【０００１】
本発明は、枠体に装着されるガスケットを備えたカーテンウォールに関する。
【背景技術】
【０００２】
カーテンウォールは、建物の壁部に用いられており、例えば、連窓として、横方向に並べて設置されている。また、枠体を備えたカーテンウォールでは、ガスケットにより、枠体の周りの止水性と気密性を確保している。ガスケットは、枠体の外周部に装着されて、枠体の外周部と対向する建物の壁材に当接する（特許文献１参照）。
【０００３】
特許文献１に記載された従来のカーテンウォールでは、ガスケットは、横枠である上横枠材の外周部に装着されて、枠体の上方に位置する壁材に当接する。また、ガスケットは、縦枠である左右の縦枠材の外周部に装着されて、枠体の側方に位置する壁材に当接する。壁材は、例えば、プレキャストコンクリート板（ＰＣ板）であり、建物の躯体に取り付けられている。
【０００４】
一般的なカーテンウォールでは、装着部が縦枠の外周部と横枠の外周部とに形成されて、ガスケットが縦枠の装着部と横枠の装着部とに装着される。また、縦枠の装着部と横枠の装着部とが連続するように形成されて、縦枠のガスケットと横枠のガスケットとが連続する。ところが、建物の壁のデザイン等によっては、建物の部材（例えば、梁）が横枠の室外側に設けられて、ガスケットを横枠の室外側の部材に当接させることがある。この場合には、ガスケットが横枠の室外側に配置されるため、室外側のガスケットと縦枠のガスケットとを連続するための構造が枠体に付加される。例えば、矩形状の切欠き部を縦枠の端部に形成して、装着部を有する補助部材を縦枠の切欠き部に取り付け、補助部材の装着部を室外側のガスケット用の装着部と縦枠の装着部との間に配置する。また、補助部材の装着部と縦枠の装着部とを連続するため、装着部を有するアタッチメントを縦枠に取り付ける。
【０００５】
しかしながら、このようにすると、ガスケットを連続して装着するために、複数の部材を縦枠の端部に設ける必要がある。そのため、縦枠の端部の部材の構造が複雑になり、カーテンウォールのコストも上昇する。また、縦枠の加工が複雑になるとともに、装着部同士を連続するための加工を要することもある。止水性と気密性を確保するために、縦枠を含む各部材の接触部分にシールを塗布する必要もある。従って、ガスケットを連続して装着するための手間やコストが増加する虞がある。
【先行技術文献】
【特許文献】
【０００６】
【特許文献１】特開２００１−１１９９３号公報
【発明の概要】
【発明が解決しようとする課題】
【０００７】
本発明は、前記従来の問題に鑑みなされたもので、その目的は、横枠の室外側の部材にガスケットを当接するカーテンウォールにおいて、枠体の縦枠端部材の構造が複雑になるのを抑制するとともに、ガスケットを縦枠と横枠とに容易に連続して装着することである。
【課題を解決するための手段】
【０００８】
本発明は、枠体と、前記枠体に装着されるガスケットとを備えたカーテンウォールである。前記枠体は、左右の縦枠と、前記左右の縦枠の間に設けられた横枠と、前記縦枠と前記横枠とに形成されて前記ガスケットが装着される装着部とを有する。前記横枠は、室外側に位置する建物の部材と対向する対向部と、前記横枠の長手方向に沿って前記対向部に形成された前記装着部とを有する。前記縦枠は、縦枠本体と、前記縦枠本体の端部から前記横枠の対向部の端部まで配置された縦枠端部材とを有する。前記縦枠本体は、前記縦枠の長手方向に沿って形成された前記装着部を有する。前記縦枠端部材は、前記縦枠本体の装着部の端部から前記横枠の装着部の端部まで延びる前記装着部を有する。前記縦枠本体と前記縦枠端部材は、前記縦枠の見込み方向に対して４５度の角度をなす端部同士を当接させ、かつ、前記当接する端部において互いの前記装着部の端部の位置を合わせて配置されている。
【発明の効果】
【０００９】
本発明によれば、横枠の室外側の部材にガスケットを当接するカーテンウォールにおいて、枠体の縦枠端部材の構造が複雑になるのを抑制できるとともに、ガスケットを縦枠と横枠とに容易に連続して装着することができる。
【図面の簡単な説明】
【００１０】
【図１】本実施形態のカーテンウォールを含む建物の壁部を示す正面図である。
【図２】本実施形態のカーテンウォールを示す正面図である。
【図３】本実施形態のカーテンウォールの縦断面図である。
【図４】本実施形態のカーテンウォールの横断面図である。
【図５】本実施形態のカーテンウォールの一部を示す斜視図である。
【図６】本実施形態のカーテンウォールの一部を示す斜視図である。
【発明を実施するための形態】
【００１１】
本発明のカーテンウォールの一実施形態について、図面を参照して説明する。
本実施形態のカーテンウォールは、建物の壁部に用いられるカーテンウォールユニットである。カーテンウォールは、建物の壁部に取り付けられて、建物の室内と室外の間に設置される。
【００１２】
図１は、本実施形態のカーテンウォール１を含む建物１０の壁部１１を示す正面図であり、室外側からみた壁部１１の一部を示している。図１において、左右方向が水平方向であり、上下方向が垂直方向である。
図示のように、建物１０は、壁部１１に、複数の壁材１２と複数の開口部１３を備えている。複数の壁材１２は、例えば、ＰＣ板であり、建物躯体（図示せず）に取り付けられて、壁部１１に並べて配置されている。開口部１３は、上下方向に離隔した壁材１２の間に形成されている。カーテンウォール１は、建物１０の開口部１３に配置されて、建物１０の壁部１１に設置される。１つの開口部１３において、複数のカーテンウォール１（カーテンウォールユニット）が、横方向に並べて設置されて、連窓として組み合わされる。
【００１３】
図２は、本実施形態のカーテンウォール１を示す正面図であり、１つのカーテンウォール１を室外側からみて示している。
図示のように、カーテンウォール１は、パネル体２と、パネル体２を囲む枠体３と、枠体３に装着されるガスケット４（図２のハッチングを付した部分）を備えている。パネル体２は、枠体３に固定された方形状の固定体であり、枠体３の開口部３Ａに配置されている。枠体３の開口部３Ａは、パネル体２により閉鎖されている。
【００１４】
枠体３は、開口部３Ａを形成する方形状の開口枠であり、枠組みされた４つの枠５〜７（上枠５、下枠６、一対の縦枠７）を有している。枠５〜７は、それぞれパネル体２の縁部に沿って配置された長尺部材であり、例えば、押出成形により形成されている。４つの枠５〜７が方形状に組み合わされ、方形状の開口部３Ａが枠体３の内側に形成されている。上枠５と下枠６は、横方向（左右方向）に延びる一対の横枠であり、左右の縦枠７の間に設けられている。上下の横枠（上枠５、下枠６）が左右の縦枠７の端部（上端部、下端部）の間に配置されて、横枠の両端部のそれぞれが縦枠７の端部に連結されている。左右の縦枠７の端部は、取付部材（例えば、ビス）により、横枠の端部に取り付けられている。
【００１５】
パネル体２は、複数のガラス板を有する複層ガラスであり、枠体３に嵌め込まれている。上枠５は、上の横枠であり、パネル体２の上縁部に沿って配置されている。下枠６は、下の横枠であり、パネル体２の下縁部に沿って配置されている。縦枠７は、縦方向（上下方向）に延び、パネル体２の縦縁部に沿って配置されている。ガスケット４は、密閉材であり、例えば、環状に形成されて、枠体３の枠５〜７に連続して装着されている。また、ガスケット４は、例えば、弾性変形可能な弾性材であり、枠体３と建物１０の部材との間、又は、隣り合う２つの枠体３の間に配置される。
【００１６】
図３は、本実施形態のカーテンウォール１の縦断面図であり、図１のＸ１−Ｘ１線で切断したカーテンウォール１と建物１０の壁材１２を示している。図４は、本実施形態のカーテンウォール１の横断面図であり、図１のＸ２−Ｘ２線で切断したカーテンウォール１を示している。図４では、横方向に隣接する２つのカーテンウォール１の縦枠７側の部分を示している。
【００１７】
図示のように、枠体３は、上枠５、下枠６、及び、一対の縦枠７に形成された装着部８を有している。ガスケット４は、枠体３の装着部８に装着されて、枠体３に保持されている。装着部８は、上枠５、下枠６、及び、一対の縦枠７にわたって連続して延び、ガスケット４は、枠５〜７の装着部８に連続して装着されている。また、カーテンウォール１は、複数のガスケット４を備えており、枠体３は、枠５〜７のそれぞれに並列して形成された複数の装着部８を有している。複数のガスケット４は、並列する装着部８のそれぞれに装着されて、枠５〜７のそれぞれにおいて並列して配置されている。
【００１８】
ここでは、複数のガスケット４は、２つのガスケット４Ａ、４Ｂ（第１ガスケット４Ａ、第２ガスケット４Ｂ）であり、枠５〜７のそれぞれは、２列の装着部８を有している。第１ガスケット４Ａは、止水材であるヒレ状のレインバリアであり、第２ガスケット４Ｂは、気密材であるチューブ状のウインドバリアである。装着部８は、溝状に形成された装着溝であり、ガスケット４Ａ、４Ｂに向かって開放されている。ガスケット４Ａ、４Ｂは、装着部８（装着溝）に取り付けられる取付部４Ｃ、４Ｄを有している。取付部４Ｃ、４Ｄは、ガスケット４Ａ、４Ｂの基部（挿入部）であり、装着部８内に挿入されて、装着部８に係止される。これにより、取付部４Ｃ、４Ｄが装着部８に取り付けられて、ガスケット４Ａ、４Ｂが装着部８に装着される。
【００１９】
下枠６（図３参照）は、下枠本体２０と、下枠本体２０の室内側部に取り付けられたパネル３０と、下枠本体２０の室外側部に取り付けられた押縁３１を有している。下枠本体２０は、下枠６のベース部であり、下枠６及び下枠本体２０は、下枠６の下側に位置する壁材１２（下側壁材１２Ａ）に対して上側に設置される。また、下枠本体２０は、一定の断面形状に形成された長尺な形材からなり、下枠６の長手方向である左右方向（横方向）に沿って延びる。下枠本体２０の形材（下枠形材）は、押出成形により形成された押出形材であり、例えば、金属で形成されている。
【００２０】
下枠本体２０は、見込み部２１と、見込み部２１の室外側に位置する保持部２２と、見込み部２１の下側に位置する外周部２３と、外周部２３から室外側に突出する水切り部２４と、外周部２３に形成された２つの装着部８（第１装着部８Ａ、第２装着部８Ｂ）を有している。見込み部２１は、下枠本体２０において枠体３の内周側（開口部３Ａ側）に位置し、下枠６の見込み方向に沿って形成されている。パネル３０は、見込み部２１の上側に配置されて、見込み部２１を覆う。パネル３０の上面部３２は、枠体３の内周部の一部（下部）を構成する下枠６の内周部である。
【００２１】
保持部２２は、断面Ｌ字状に形成されており、パネル体２の室内側に位置する保持片２５を有している。押縁３１は、保持部２２に取り付けられており、パネル体２の室外側に位置する保持片３３を有している。下枠６は、保持部２２の保持片２５と押縁３１の保持片３３の間にパネル体２の下縁部を収容して、保持部２２と押縁３１により、パネル体２の下縁部を保持している。水切り部２４には、ガスケット３４が取り付けられている。ガスケット３４は、水切り部２４から下側に突出して、下側壁材１２Ａに当接する。
【００２２】
下枠本体２０の外周部２３は、枠体３の外周部の一部（下部）を構成する下枠６の外周部である。装着部８Ａ、８Ｂは、下枠装着部であり、下枠６の長手方向（下枠本体２０の長手方向）に沿って、かつ、下枠本体２０の長手方向の全体にわたって外周部２３に形成されて、外周部２３から下側に突出している。ガスケット４Ａ、４Ｂは、それぞれ装着部８Ａ、８Ｂに装着された状態で、装着部８Ａ、８Ｂから下側に突出し、下側壁材１２Ａに当接する。下枠６の装着部８Ａ、８Ｂとガスケット４Ａ、４Ｂは、下枠本体２０の長手方向に連続して延びる。
【００２３】
第１装着部８Ａは、第１ガスケット４Ａ用の室外側装着部であり、第２装着部８Ｂは、第２ガスケット４Ｂ用の室内側装着部である。第１装着部８Ａの第１ガスケット４Ａは、第２ガスケット４Ｂの室外側に位置し、第２装着部８Ｂの第２ガスケット４Ｂは、第１ガスケット４Ａの室内側に位置する。第２ガスケット４Ｂの室内側で、下枠６（下枠本体２０）と下側壁材１２Ａの間に、バックアップ材３５とシール材３６が充填される。
【００２４】
上枠５は、上枠本体４０と、上枠本体４０の室内側部に取り付けられた第１押縁５０と、上枠本体４０の室外側部に取り付けられた第２押縁５１を有している。上枠本体４０は、上枠５のベース部であり、上枠５及び上枠本体４０は、上枠５の室外側に位置する壁材１２（室外側壁材１２Ｂ）に対して室内側に設置される。また、上枠本体４０は、一定の断面形状に形成された長尺な形材からなり、上枠５の長手方向である左右方向（横方向）に沿って延びる。上枠本体４０の形材（上枠形材）は、押出成形により形成された押出形材であり、例えば、金属で形成されている。
【００２５】
上枠本体４０は、見込み部４１と、見込み部４１の室外側に位置する室外側片４２と、見込み部４１の上側に位置する上側部４３と、上側部４３から室外側に突出する突出部４４と、突出部４４の突出方向の先端部に形成された対向部４５と、上側部４３及び突出部４４の上側に位置する外周部４６と、対向部４５に形成された２つの装着部８（第１装着部８Ｃ、第２装着部８Ｄ）を有している。上枠本体４０の外周部４６は、枠体３の外周部の一部（上部）を構成する上枠５の外周部である。見込み部４１は、上枠本体４０において枠体３の内周側（開口部３Ａ側）に位置し、上枠５の見込み方向に沿って形成されている。室外側片４２は、見込み部４１から室外側に突出し、パネル体２の上側に配置されている。
【００２６】
第１押縁５０は、見込み部４１の下側に配置されて、見込み部４１に取り付けられ、見込み部４１を覆う。第１押縁５０の下面部５２は、枠体３の内周部の一部（上部）を構成する上枠５の内周部である。また、第１押縁５０は、室内側押縁であり、パネル体２の室内側に位置する保持壁５３を有している。第２押縁５１は、室外側片４２に取り付けられた室外側押縁であり、パネル体２の室外側に位置する保持片５４を有している。上枠５は、第１押縁５０の保持壁５３と第２押縁５１の保持片５４の間にパネル体２の上縁部を収容して、第１押縁５０と第２押縁５１により、パネル体２の上縁部を保持している。
【００２７】
上側部４３と突出部４４は、上枠本体４０に形成された中空部である。突出部４４は、上側部４３の室外側に形成され、上側部４３から室外側壁材１２Ｂに向かって突出している。対向部４５は、突出部４４の室外側部であり、室外側に位置する建物１０の部材（ここでは、室外側壁材１２Ｂ）と対向する。室外側壁材１２Ｂは、対向部４５の室外側に位置する室外側部材であり、上枠５よりも室外側に位置する。対向部４５は、室外側壁材１２Ｂの室内側に配置されて、室外側壁材１２Ｂの室内側部１２Ｃと対向する。また、対向部４５は、上枠５のパネル体２を保持する保持部（ここでは、押縁５０、５１）よりも上側に位置しており、パネル体２及び上枠５の保持部よりも上側に位置する室外側壁材１２Ｂと対向する。
【００２８】
対向部４５は、上枠５の長手方向の全体にわたって形成されて、上枠５の長手方向に延びる。装着部８Ｃ、８Ｄは、上枠装着部であり、上枠５の長手方向（上枠本体４０の長手方向）に沿って、かつ、上枠本体４０の長手方向の全体にわたって対向部４５に形成されて、室外側壁材１２Ｂと対向する。ガスケット４Ａ、４Ｂは、それぞれ装着部８Ｃ、８Ｄに装着された状態で、装着部８Ｃ、８Ｄから室外側に突出し、室外側壁材１２Ｂに当接する。上枠５の装着部８Ｃ、８Ｄとガスケット４Ａ、４Ｂは、上枠本体４０の長手方向（対向部４５の長手方向）に連続して延びる。
【００２９】
第１装着部８Ｃは、第１ガスケット４Ａ用の下側装着部であり、第２装着部８Ｄは、第２ガスケット４Ｂ用の上側装着部である。第１装着部８Ｃの第１ガスケット４Ａは、第２ガスケット４Ｂの下側に位置し、第２装着部８Ｄの第２ガスケット４Ｂは、第１ガスケット４Ａの上側に位置する。第２ガスケット４Ｂの上側で、上枠５（上枠本体４０）と室外側壁材１２Ｂの間に、バックアップ材５５とシール材５６が充填される。
【００３０】
縦枠７（図４参照）は、縦枠本体６０と、縦枠本体６０に取り付けられた押縁７０を有している。縦枠本体６０は、縦枠７のベース部であり、縦枠７及び縦枠本体６０は、横方向に隣接する別のカーテンウォール１の縦枠７及び縦枠本体６０と対向して設置される。縦枠本体６０は、一定の断面形状に形成された長尺な形材からなり、縦枠７の長手方向である上下方向（縦方向）に沿って延びる。縦枠本体６０の形材（本体形材）は、押出成形により形成された押出形材であり、例えば、金属で形成されている。
【００３１】
縦枠本体６０は、縦枠７の見込み方向に沿って形成された板状の見込み部６１と、見込み部６１の室外側に位置する保持部６２と、見込み部６１に形成された２つの装着部８（第１装着部８Ｅ、第２装着部８Ｆ）を有している。見込み部６１において、枠体３の内周側（開口部３Ａ側）に位置する部分は、縦枠本体６０の内周部６３であり、枠体３の外周側に位置する部分は、縦枠本体６０の外周部６４である。内周部６３は、枠体３の内周部の一部（側部）を構成し、外周部６４は、枠体３の外周部の一部（側部）を構成する。
【００３２】
保持部６２は、見込み部６１の室外側の端部に連続して、見込み部６１の室外側に形成されている。保持部６２は、パネル体２に向かって開放された凹状に形成されており、パネル体２の室外側に位置する保持片６５を有している。押縁７０は、保持部６２に取り付けられており、パネル体２の室内側に位置する保持片７１を有している。縦枠７は、保持部６２の保持片６５と押縁７０の保持片７１の間にパネル体２の縦縁部を収容して、保持部６２と押縁７０により、パネル体２の縦縁部を保持している。
【００３３】
装着部８Ｅ、８Ｆは、縦枠７の長手方向（縦枠本体６０の長手方向）に沿って、かつ、縦枠本体６０の長手方向の全体にわたって見込み部６１（外周部６４）に形成されて、縦枠本体６０の外周側に位置している。ガスケット４Ａ、４Ｂは、それぞれ装着部８Ｅ、８Ｆに装着された状態で、装着部８Ｅ、８Ｆから横方向に突出し、横方向に隣接する別のカーテンウォール１のガスケット４Ａ、４Ｂと当接する。縦枠７の装着部８Ｅ、８Ｆとガスケット４Ａ、４Ｂは、縦枠本体６０の長手方向に連続して延びる。
【００３４】
第１装着部８Ｅは、第１ガスケット４Ａ用の室外側装着部であり、第２装着部８Ｆは、第２ガスケット４Ｂ用の室内側装着部である。第１装着部８Ｅの第１ガスケット４Ａは、第２ガスケット４Ｂの室外側に位置し、第２装着部８Ｆの第２ガスケット４Ｂは、第１ガスケット４Ａの室内側に位置する。第２ガスケット４Ｂの室内側で、横方向に隣接する２つのカーテンウォール１の縦枠本体６０に、連結部材７２がビス７３で固定されて、２つのカーテンウォール１の縦枠本体６０が連結部材７２により連結される。また、カバー７４が、連結部材７２に取り付けられて、連結部材７２及びビス７３を覆う。
【００３５】
なお、カーテンウォール１の横方向に建物１０の部材（例えば、壁材１２、又は、壁材１２に取り付けられたガスケット）が隣接するときには、縦枠７の装着部８Ｅ、８Ｆ及びガスケット４Ａ、４Ｂは、建物１０の部材と対向する。また、ガスケット４Ａ、４Ｂは、建物１０の部材と当接する。この場合には、第２ガスケット４Ｂの室内側で、縦枠７（縦枠本体６０）と建物１０の部材の間に、バックアップ材とシール材が充填される。
【００３６】
見込み部６１と装着部８Ｅ、８Ｆは、縦枠本体６０において室内側に位置する縦枠本体６０の室内側部６６に設けられている。室内側部６６は、保持部６２に連続して保持部６２の室内側に形成されており、パネル体２よりも室内側に位置している。保持部６２は、縦枠本体６０において室外側に位置する縦枠本体６０の室外側部であり、パネル体２の縦縁部に沿って配置されている。このように、縦枠本体６０は、縦枠７の見込み方向（室内外方向）に連続する保持部６２と室内側部６６からなる。
【００３７】
縦枠本体６０は、上枠５の長手方向の端部から下枠６の長手方向の端部まで配置されて（図３参照）、上枠５の端部と下枠６の端部とに連結されている。ここでは、縦枠本体６０は、取付部材（例えば、ビス）により、上枠本体４０の端部と下枠本体２０の端部とに取り付けられている。
【００３８】
図５、図６は、本実施形態のカーテンウォール１の一部を示す斜視図であり、上枠５の端部を含むカーテンウォール１の上コーナー部を示している。また、図５は、ガスケット４Ａ、４Ｂを装着していない枠体３を示し、図６は、ガスケット４Ａ、４Ｂを装着した枠体３を示している。
図示のように、縦枠７は、縦枠本体６０に加えて、縦枠７の長手方向の端部７Ａ（上端部）に設けられた縦枠端部材８０を有している。縦枠端部材８０は、取付部材（例えば、ビス）により、上枠５（上枠本体４０）の端部に取り付けられて、縦枠本体６０の長手方向の端部６７（上端部）と連続する。縦枠本体６０は、上枠５の見込み部４１よりも上側まで設けられており、上枠本体４０の上側部４３及び外周部４６の端部と対向する位置まで配置されている。
【００３９】
縦枠端部材８０は、縦枠７の端部７Ａに設けられた突出部であり、縦枠本体６０の端部６７から室外側に突出して、上枠本体４０の上側部４３、突出部４４、対向部４５、及び、外周部４６の端部と対向する位置に配置されている。縦枠端部材８０を含む縦枠７の端部７Ａにおいて、縦枠７は、縦枠端部材８０により、室外側に向かって屈曲する形状に形成されている。上枠５は、縦枠本体６０の端部６７の室外側に位置する対向部４５と装着部８Ｃ、８Ｄを有している。縦枠端部材８０は、縦枠本体６０の端部６７から対向部４５に向かって突出しており、縦枠本体６０の端部６７から対向部４５の長手方向の端部４７まで配置されている。
【００４０】
上枠５の対向部４５は、左右の縦枠７に設けられた縦枠端部材８０の先端部８１の間に配置されている。縦枠端部材８０の先端部８１は、縦枠端部材８０の室外側の端部であり、対向部４５の端部４７と位置を合わせて配置されている。縦枠端部材８０は、縦枠本体６０の室内側部６６と同様に形成されており、見込み部６１に対応する板状のカバー部８２と、カバー部８２に形成された２つの装着部８（第１装着部８Ｇ、第２装着部８Ｈ）を有している。カバー部８２は、縦枠本体６０の端部６７から対向部４５の端部４７まで配置されて、上枠５の端部の一部を覆う。カバー部８２において、枠体３の外周側に位置する部分は、枠体３の外周部の一部を構成する縦枠端部材８０の外周部８３である。
【００４１】
縦枠本体６０の装着部８Ｅ、８Ｆは、本体装着部であり、本体外周部である縦枠本体６０の外周部６４に形成されている。縦枠端部材８０の装着部８Ｇ、８Ｈは、端装着部であり、端外周部である縦枠端部材８０の外周部８３に形成されている。縦枠本体６０の端部６７において、縦枠端部材８０の外周部８３と縦枠本体６０の外周部６４が端部同士を当接させて連続し、縦枠端部材８０の装着部８Ｇ、８Ｈと縦枠本体６０の装着部８Ｅ、８Ｆがそれぞれ端部同士を当接させて連続する。また、縦枠端部材８０のカバー部８２と縦枠本体６０の見込み部６１が端部同士を当接させて連続する。
【００４２】
縦枠端部材８０の装着部８Ｇ、８Ｈは、縦枠７の見込み方向（室内外方向）に沿って延び、縦枠端部材８０の外周側に位置している。また、縦枠端部材８０の装着部８Ｇ、８Ｈは、縦枠本体６０の装着部８Ｅ、８Ｆの端部（上端部）から室外側に向かって上枠５の装着部８Ｃ、８Ｄの端部（側端部）まで延びる。ガスケット４Ａ、４Ｂは、それぞれ装着部８Ｇ、８Ｈに装着された状態で、装着部８Ｇ、８Ｈから横方向に突出する。第１装着部８Ｇは、第１ガスケット４Ａ用の下側装着部であり、第２装着部８Ｈは、第２ガスケット４Ｂ用の上側装着部である。第１装着部８Ｇの第１ガスケット４Ａは、第２ガスケット４Ｂの下側に位置し、第２装着部８Ｈの第２ガスケット４Ｂは、第１ガスケット４Ａの上側に位置する。
【００４３】
縦枠端部材８０の装着部８Ｇ、８Ｈは、縦枠本体６０の装着部８Ｅ、８Ｆの端部と上枠５の装着部８Ｃ、８Ｄの端部との間で連続して延び、縦枠端部材８０の先端部８１において、上枠５の装着部８Ｃ、８Ｄの端部と位置を合わせて配置されている。縦枠端部材８０の装着部８Ｇ、８Ｈは、縦枠本体６０の装着部８Ｅ、８Ｆと上枠５の装着部８Ｃ、８Ｄとに連続している。ガスケット４Ａ、４Ｂは、順に連続する装着部８に装着されて、装着部８に沿って連続して延びる。
【００４４】
上枠５、縦枠本体６０、及び、縦枠端部材８０のそれぞれは、並列する複数の装着部８を有している。上枠５、縦枠本体６０、及び、縦枠端部材８０のそれぞれには、同じ数の装着部８が設けられており、ここでは、２列の装着部８が平行に形成されている。縦枠本体６０と縦枠端部材８０は、互いの複数の装着部８の対応する端部同士の位置を合わせて配置され、上枠５と縦枠端部材８０は、互いの複数の装着部８の対応する端部同士の位置を合わせて配置されている。複数の装着部８は、縦枠本体６０の端部６７と対向部４５の端部４７において、端部同士が繋がるように形成されている。
【００４５】
具体的には、縦枠端部材８０は、縦枠本体６０の複数の装着部８Ｅ、８Ｆの端部から上枠５の複数の装着部８Ｃ、８Ｄの端部までそれぞれ延びる複数の装着部８Ｇ、８Ｈを有している。縦枠端部材８０の第１装着部８Ｇは、縦枠本体６０の第１装着部８Ｅと上枠５の第１装着部８Ｃとに連続し、縦枠端部材８０の第２装着部８Ｈは、縦枠本体６０の第２装着部８Ｆと上枠５の第２装着部８Ｄとに連続する。これにより、３つの第１装着部８Ｅ、８Ｇ、８Ｃが順に連続し、３つの第２装着部８Ｆ、８Ｈ、８Ｄが順に連続する。
【００４６】
縦枠本体６０の端部６７は、縦枠７の見込み方向に対して傾斜した傾斜端部であり、室外側から室内側に向かって斜め上方に傾斜している。縦枠本体６０の端部６７に対応して、縦枠端部材８０の室内側の端部８４は、縦枠７の見込み方向に対して傾斜した傾斜端部であり、室外側から室内側に向かって斜め上方に傾斜している。縦枠本体６０の端部６７と縦枠端部材８０の端部８４は、共に、縦枠７の見込み方向に対して４５度の角度をなす。
【００４７】
縦枠端部材８０の端部８４が縦枠本体６０の端部６７の上側かつ室外側に位置し、縦枠本体６０と縦枠端部材８０が端部６７、８４同士を当接させて配置されている。その状態で、縦枠本体６０と縦枠端部材８０は、互いに当接する端部６７、８４において、装着部８の端部同士が連続するように、互いの装着部８の端部の位置を合わせて配置されている。また、各装着部８の端面を含む端部６７、８４の端面は、縦枠７の見込み方向に対して４５度の角度をなし、縦枠本体６０と縦枠端部材８０は、端面同士を当接させて配置されている。
【００４８】
縦枠本体６０と縦枠端部材８０は、装着部８を含む共通の断面形状を有しており、端部６７、８４同士が合致した状態で当接している。縦枠本体６０の断面形状と縦枠端部材８０の断面形状は、それぞれの装着部８の延びる方向に直交する断面の形状である。ここでは、縦枠本体６０の上部６８と縦枠端部材８０が共通の断面形状を有しており、縦枠本体６０の端部６７と縦枠端部材８０の端部８４が互いに合致した状態で当接する端面形状を有している。縦枠本体６０の上部６８は、端部６７を含む縦枠本体６０の端側部分であり、縦枠７の見込み方向において、縦枠本体６０の他の部分よりも狭い幅に形成されている。
【００４９】
縦枠本体６０と縦枠端部材８０は、それぞれ装着部８を有する形材（本体形材９０、端形材９１）から形成されている。本体形材９０と端形材９１は、それぞれ一定の断面形状に形成された長尺な縦枠材であり、装着部８を含む共通の断面形状を有している。形材の断面形状は、形材の長手方向に直交する断面の形状である。本体形材９０と端形材９１は、押出成形により形成された押出形材であり、例えば、金属で形成されている。装着部８（形材装着部）は、本体形材９０と端形材９１において、それぞれの長手方向に延びる。
【００５０】
縦枠本体６０の本体形材９０は、室外側部である縦枠本体６０の保持部６２と、見込み部６１及び装着部８Ｅ、８Ｆを含む縦枠本体６０の室内側部６６を有している。縦枠本体６０の上部６８では、保持部６２が本体形材９０から除去されている。縦枠端部材８０の端形材９１は、縦枠端部材８０のカバー部８２と装着部８Ｇ、８Ｈを有しており、本体形材９０の室内側部６６と同じ断面形状に形成されている。即ち、本体形材９０の装着部８Ｅ、８Ｆと端形材９１の装着部８Ｇ、８Ｈは同じ断面形状に形成され、本体形材９０の見込み部６１と端形材９１のカバー部８２は同じ断面形状に形成されている。
【００５１】
本体形材９０と端形材９１は、それぞれの幅方向に対して４５度の角度をなす方向に切断される。これにより、縦枠本体６０の端部６７が本体形材９０に形成され、縦枠端部材８０の端部８４が端形材９１に形成される。本体形材９０の端部６７と端形材９１の端部８４は、装着部８の端部の位置を含めて互いに合致した状態で当接するように形成されており、縦枠７の見込み方向に対して４５度の角度をなす。端部６７、８４において、本体形材９０と端形材９１が当接し、本体形材９０（縦枠本体６０）の装着部８Ｅ、８Ｆの端部と端形材９１（縦枠端部材８０）の装着部８Ｇ、８Ｈの端部が当接する。
【００５２】
以上説明したように、本実施形態のカーテンウォール１では、縦枠端部材８０の構造及び枠体３の上枠５側の構造が複雑になるのを抑制できるとともに、ガスケット４を縦枠７と上枠５とに容易に連続して装着することができる。また、ガスケット４の装着のための部品が増加するのを防止でき、枠体３の加工箇所を低減することもできる。そのため、枠体３の上枠５側の構造を簡単にでき、カーテンウォール１の製作に要する手間とコストを削減することもできる。ガスケット４による密閉性能を確保できるため、枠体３の周りの止水性と密閉性を向上することもできる。枠体３が並列する複数の装着部８を有していても、上記した各効果を得ることができる。
【００５３】
縦枠本体６０と縦枠端部材８０は、共通の断面形状を有する。そのため、縦枠本体６０と縦枠端部材８０の端部６７、８４同士を確実に当接できるとともに、端部６７、８４において、装着部８の端部の位置を容易に合わせることができる。装着溝である装着部８にガスケット４の取付部４Ｃ、４Ｄを取り付けることで、ガスケット４を装着部８に容易かつ確実に取り付けることができる。縦枠端部材８０が縦枠本体６０の端部６７から室外側に突出し、上枠５の対向部４５が左右の縦枠７に設けられた縦枠端部材８０の先端部８１の間に配置されている。このようにすることで、枠体３の上枠５側の構造を簡単にできるとともに、ガスケット４を縦枠端部材８０と対向部４５に容易に連続して装着することができる。
【００５４】
なお、縦枠７と上枠５の端部の間にシール材を挟むようにしてもよい。シール材により、縦枠７と上枠５の端部の間をシールできるため、上枠５の端部における止水性と密閉性を向上することができる。連結部材を縦枠本体６０と縦枠端部材８０とに固定して、縦枠本体６０と縦枠端部材８０を連結部材により連結してもよい。縦枠本体６０と縦枠端部材８０は、装着部８を有する共通の形材から形成してもよい。この場合には、共通の形材として、例えば、本体形材９０を用いる。本体形材９０から保持部６２を除去して、端形材９１を形成する。端形材９１は、本体形材９０の室内側部６６からなる。
【００５５】
ガスケット４の数は、１つ又は３つ以上であってもよい。枠体３には、ガスケット４と同じ数の並列する装着部８が形成される。装着部８は、ガスケット４が装着可能な形状であればよく、溝状以外の形状に形成してもよい。本実施形態では、上枠５の対向部４５が室外側壁材１２Ｂと対向する例について説明したが、対向部４５と対向する建物１０の部材は、他の部材（例えば、室外側壁材１２Ｂに取り付けられた部材、建物１０の壁部１１に設けられる部材、建物１０の梁、建物１０の躯体）であってもよい。また、本発明は、上枠５以外の横枠（例えば、下枠６）に適用することもできる。
【符号の説明】
【００５６】
１・・・カーテンウォール、２・・・パネル体、３・・・枠体、４・・・ガスケット、５・・・上枠、６・・・下枠、７・・・縦枠、８・・・装着部、１０・・・建物、１１・・・壁部、１２・・・壁材、１３・・・開口部、２０・・・下枠本体、２１・・・見込み部、２２・・・保持部、２３・・・外周部、２４・・・水切り部、２５・・・保持片、３０・・・パネル、３１・・・押縁、３２・・・上面部、３３・・・保持片、３４・・・ガスケット、３５・・・バックアップ材、３６・・・シール材、４０・・・上枠本体、４１・・・見込み部、４２・・・室外側片、４３・・・上側部、４４・・・突出部、４５・・・対向部、４６・・・外周部、４７・・・端部、５０・・・第１押縁、５１・・・第２押縁、５２・・・下面部、５３・・・保持壁、５４・・・保持片、５５・・・バックアップ材、５６・・・シール材、６０・・・縦枠本体、６１・・・見込み部、６２・・・保持部、６３・・・内周部、６４・・・外周部、６５・・・保持片、６６・・・室内側部、６７・・・端部、６８・・・上部、７０・・・押縁、７１・・・保持片、７２・・・連結部材、７３・・・ビス、７４・・・カバー、８０・・・縦枠端部材、８１・・・先端部、８２・・・カバー部、８３・・・外周部、８４・・・端部、９０・・・本体形材、９１・・・端形材。
【図１】
2019143308.tif 000003
【図２】
2019143308.tif 000004
【図３】
2019143308.tif 000005
【図４】
2019143308.tif 000006
【図５】
2019143308.tif 000007
【図６】
2019143308.tif 000008